(57)【要約】【課題】厚みの異なる側壁や、縦横方向に湾曲している側壁に対しても、浴槽内外への突出寸法を極力小さくして確実かつ安定的に設置できる浴槽用安全手摺りを提供する。【解決手段】本発明の浴槽用安全手摺り１は、浴槽の側壁Ｓを挟持する跨設部材２が、水平片４１及び垂下片４２を有して側面視略Ｌ字形に形成された第一及び第二の取付部材４ａ，４ｂと、両取付部材４ａ，４ｂの水平片４１に重ねられた連結板５とからなる。連結板５に形成した通孔と、両取付部材４ａ，４ｂの各水平片４１に形成した複数個の雌ネジ孔を利用して、両者を固定用ネジで連結することにより、跨設部材２自体の跨ぎ寸法を段階的に調節することが可能になり、跨設部材２や締付ノブ７３の側方への突出寸法を小さくすることができる。【選択図】図７
2004261327.tif 000002
【特許請求の範囲】
【請求項１】
浴槽の側壁を挟持して固定される跨設部材にクランプ部材とグリップとが取り付けられた浴槽用安全手摺りにおいて、
上記跨設部材は、水平片及び垂下片を有して側面視略Ｌ字形に形成された第一及び第二の取付部材が、互いの垂下片を対向させるとともに互いの水平片を突き合わせて配置され、これら両取付部材が各水平片に重ねられた連結板を介して両垂下片の対向間隔を拡縮しうるように連結されたことを特徴とする浴槽用安全手摺り。
【請求項２】
連結板には固定用ネジを挿通させうる通孔が形成されるとともに、両取付部材の各水平片には上記固定用ネジを螺合しうる複数個の雌ネジ孔が形成され、上記通孔に挿入した固定用ネジを上記雌ネジ孔のいずれかに螺合することにより、各水平片と連結板とが連結されることを特徴とする請求項１に記載の浴槽用安全手摺り。
【請求項３】
両取付部材の各水平板は、相対する縁部の平面形状が凹凸状に合致係合するように形成されたことを特徴とする請求項１または２に記載の浴槽用安全手摺り。
【請求項４】
クランプ部材は、第一又は第二の取付部材の垂下片を貫通するネジ状の軸部と、この軸部の一端に設けられた押圧板と、軸部の他端に設けられた締付ノブとを備え、上記締付ノブの操作により上記押圧板が相手側取付部材の垂下片に対して進退しうるように保持されたことを特徴とする請求項１〜３のいずれかに記載の浴槽用安全手摺り。
【請求項５】
クランプ部材の軸部に対して押圧板が揺動しうるように取り付けられていることを特徴とする請求項１〜４のいずれかに記載の浴槽用安全手摺り。
【請求項６】
クランプ部材が一方の取付部材に複数個並設されたことを特徴とする請求項１〜５のいずれかに記載の浴槽用安全手摺り。
【請求項７】
押圧板に相対する相手側取付部材の垂下片に受板が取り付けられ、この受板が上記垂下片に対して揺動しうるように保持されたことを特徴とする請求項１〜６のいずれかに記載の浴槽用安全手摺り。
【発明の詳細な説明】
【０００１】
【発明の属する技術分野】
本発明は、浴槽の側壁に着脱自在に取り付けられる安全手摺りに関する。
【０００２】
【従来の技術】
老齢者や身体障害者等の入浴に際し、浴槽への出入りや浴槽内での姿勢保持を補助するための福祉用具として、浴槽の側壁に取り付ける安全手摺りが利用される。図１３は、特許文献１に記載された安全手摺り９ａの構造を簡略的に示したものである。例示の安全手摺りは、下向きに開口したコ字状の跨設部材９１と、この跨設部材９１の一方の垂下片に取り付けられたクランプ部材９２とを備えている。クランプ部材９２は、跨設部材９１の垂下片を貫通する軸部の一端に押圧板９３、他端に締付ノブ９４を、ぞれぞれ有している。浴槽の側壁Ｓに跨設部材９１を載せ、クランプ部材９２を締め付けて押圧板９３を側壁Ｓに圧接させることにより、跨設部材９１が側壁Ｓに固定される。
【０００３】
ユニットバスの場合、側壁Ｓの外側（洗い場側／図示左側）には化粧用のエプロンが取り付けられることが多い。このエプロンは、跨設部材９１の締付強度に耐えられないので、クランプ部材９２は通常、槽内側（図示右側）に配置される。跨設部材９１には、浴槽の側壁Ｓを跨ぐときに使用するグリップ９５や、槽内での立ち座りに際して身体を支えるためのグリップ９６が取り付けられる。
【０００４】
しかし、このような構造の安全手摺り９Ａでは、側壁Ｓが薄い場合、跨設部材９１の一部が槽内側に大きく張り出して、入浴の邪魔になってしまう。反対に、側壁Ｓが薄いと、クランプ部材９２の締付ノブ９４が槽内側に突出して、槽内側のグリップ９６を握るのに邪魔になる。
【０００５】
そこで、跨設部材の跨ぎ寸法を、より調節しやすくした安全手摺りとして、特許文献２記載のようなものも提案されている。この安全手摺り９ｂは、図１４に示すように、跨設部材９１’を側面視略Ｌ字形の二つの部材に分割し、これらを側壁Ｓの上面で重ね合わせてネジで連結することにより、跨設部材９１’自体の跨ぎ寸法を調節できるようにしたものである。これにより、跨設部材９１’や締付ノブ９４の槽内側への突出寸法を小さくすることが可能になる。
【０００６】
【特許文献１】
特開２００２−１５３３９０号公報
【特許文献２】
特開２０００−１８９３３９号公報
【０００７】
【発明が解決しようとする課題】
しかしながら、上記図１４のような構造の安全手摺り９ｂは、跨設部材９１’の一方の肩部（図中、符号Ａの部分）が側壁Ｓの上面から浮き上がってしまうので、跨設部材９１’の取付状態が不安定になるという問題がある。
【０００８】
また、近年では、いわゆるユニバーサルデザイン思想の拡大普及により、浴槽にも、より身体になじみやすい形状が求められている。そのため、浴槽の側壁には従来よりも複雑な曲面が多用されて、側壁の厚みも増し、上記のような構造の跨設部材では、寸法的な対応が困難になってきている。特に、側壁の内面が縦方向、横方向のいずれも大きく湾曲している場合は、押圧板を側壁の曲率に沿って均一に密着させることができず、跨設部材の取付状態が不安定になる。浴槽のコーナー部近傍に安全手摺りを取り付けたい場合も同様である。
【０００９】
このように、跨設部材の固定が不十分になると、グリップに体重をかけたときにぐらついて、事故を招く恐れがある。そこで、本発明は、厚みの異なる様々な側壁や、縦横方向に湾曲している側壁に対しても、浴槽内外への突出寸法を極力小さくしながら、確実かつ安定的に設置することのできる浴槽用安全手摺りを提供することを解決課題とする。
【００１０】
【課題を解決するための手段】
前記課題を解決するために本発明は、浴槽の側壁を挟持して固定される跨設部材にクランプ部材とグリップとが取り付けられた浴槽用安全手摺りにおいて、上記跨設部材は、水平片及び垂下片を有して側面視略Ｌ字形に形成された第一及び第二の取付部材が、互いの垂下片を対向させるとともに互いの水平片を突き合わせて配置され、これら両取付部材が各水平片に重ねられた連結板を介して両垂下片の対向間隔を拡縮しうるように連結されたことを特徴とする。
【００１１】
この発明によれば、両取付部材の水平片が、いずれも浴槽の側壁の上面から浮き上がらずに掛止されるので、跨設部材の安定する。
【００１２】
そして、連結板には固定用ネジを挿通させうる通孔を形成するとともに、両取付部材の各水平片には上記固定用ネジを螺合しうる複数個の雌ネジ孔を形成し、上記通孔に挿入した固定用ネジを上記雌ネジ孔のいずれかに螺合して各水平片と連結板とを連結することにより、跨設部材自体の跨ぎ寸法を段階的に調節することが可能になり、跨設部材や締付ノブの槽内側への突出寸法を小さくすることができる。
【００１３】
さらに、両取付部材の各水平板を、相対する縁部の平面形状が凹凸状に合致係合するように形成することにより、跨設部材の跨ぎ寸法の最小値を小さくすることができる。
【００１４】
また、本発明の浴槽用安全手摺りにおいて、クランプ部材は、第一又は第二の取付部材の垂下片を貫通するネジ状の軸部と、この軸部の一端に設けられた押圧板と、軸部の他端に設けられた締付ノブとを備え、上記締付ノブの操作により上記押圧板が相手側取付部材の垂下片に対して進退しうるように保持されたことを特徴とする。  このようなクランプ部材と取付部材とによって浴槽の側壁を挟持することにより、跨設部材を確実に固定することができる。
【００１５】
さらに、このクランプ部材の軸部に対して押圧板を揺動しうるように取り付けると、浴槽の側壁が縦横方向に湾曲している場合であっても、押圧板と側壁との密着性が向上して、跨設部材の安定性が増す。
【００１６】
また、このようなクランプ部材を一方の取付部材に複数個並設することにより、湾曲した側壁に対する密着性をさらに高めることができる。
【００１７】
また、押圧板に相対する相手側取付部材の垂下片に受板を取り付け、この受板を上記垂下片に対して揺動しうるように保持すれば、外側（洗い場側）が湾曲した側壁に対しても跨設部材の安定性を高めることができる。
【００１８】
【発明の実施の形態】
以下、本発明の実施の形態について、図面を参照しつつ説明する。
【００１９】
図１〜図７は、本発明の浴槽用安全手摺りの第一実施形態を示す。この浴槽用安全手摺り１は、浴槽の側壁Ｓを跨いで固定される跨設部材２に、側壁Ｓの上方に立ち上がる大グリップ３ａと、槽内側に突き出す小グリップ３ｂとを取り付けたものである。
【００２０】
跨設部材２は、対をなす二個の取付部材４ａ，４ｂと、それらを連結する連結板５によって構成される。各取付部材４ａ，４ｂは、水平片４１及び垂下片４２（図６、図７参照）を有する側面視略Ｌ字形に形成され、互いの垂下片４２，４２を対向させるとともに互いの水平片４１，４１を突き合わせて配置される。水平片４１及び垂下片４２は、薄くて強度のある材質であれば金属でもプラスチックでもかまわないが、例示の例示の形態では、防錆を考慮してステンレススチールの薄板を採用している。
【００２１】
各取付部材４ａ，４ｂの垂下片４２には、大グリップ３ａまたは小グリップ３ｂが、グリップ固定用のボルト・ナット（図示せず）等によって取り付けられている。例示の形態では、大グリップ３ａに複数個の固定穴３１が設けられて、大グリップ３ａの立ち上がり高さを数段階に調節できるようになっている。
【００２２】
各垂下片４２の外側には、プラスチック製のカバー４３ａ，４３ｂが取り付けられて、意匠性と接触感の向上が図られている。また、各水平片４１の下面には、ゴムシート４４が貼着されている。このゴムシート４４は、浴槽の側壁Ｓの上面に対する密着性を高めて滑りを防止するとともに、側壁Ｓの表面を傷つけることを防ぐためのものである。
【００２３】
連結板５は、両取付部材４ａ，４ｂの各水平片４１の上面に重ねられて、固定用ネジ６により両水平片４１，４１を連結する。この連結板５も、薄くて強度のある材料、好ましくはステンレススチールにより形成される。例示の形態では、剛性を補強するために、三条のリブ５１が上面側に突出形成されている。連結板５には、固定用ネジ６を挿通させるための通孔が、四隅に二個ずつ形成されている（図３参照）。
【００２４】
一方、取付部材４ａ，４ｂの各水平片４１には、上記固定用ネジ６を螺合しうる雌ネジ孔４５が、各通孔に対して複数個ずつ選択可能に形成されている。例示の形態では、各水平片４１に雌ネジ孔４５が三個ずつ、四列に配置されている（図４、図８（ｂ）参照）。連結板５の通孔に挿入した固定用ネジ６を、水平片４１の雌ネジ孔４５のいずれかに螺合することにより、取付部材４ａ，４ｂの対向間隔（跨ぎ寸法）を側壁Ｓの厚みに合わせて段階的（例示の形態では六段階）に変化させることができる（図６、図７参照）。
【００２５】
さらに、この形態では、両水平片４１，４１の相対する縁部が、平面視略波形の凹凸形状をなすように形成され、両水平片４１，４１を突き合わせたときに上記凹凸形状が互いに合致係合するようになっている。この構成は、跨設部材２の跨ぎ寸法の最小値を極力小さくして、厚みが小さい側壁Ｓに跨設部材２を取り付けた際に、跨設部材２の取り付け状態をコンパクトにするものである。
【００２６】
これについて、図８の概念図を参照しつつ補足する。（ａ）及び（ｂ）に示した連結板５，５の大きさ及び通孔の配置と、各水平片４１，４１’の雌ネジ孔４５の配置は共通している。跨ぎ寸法を最も大きくしたとき（各図上段）と、最も小さくしたとき（各図下段）の固定用ネジ６の取付位置を黒丸で示す。跨ぎ寸法の最大値が（ａ）、（ｂ）ともにＤであるとき、（ａ）のように水平片４１’の縁部が直線的に形成されていると、両水平片４１’，４１’を突き合わせたときの跨ぎ寸法は図示Ｅａとなる。しかし、（ｂ）のように水平片４１の縁部が凹凸形状に形成されていると、この凹凸部分で水平片４１，４１の寸法的重複が生じるので、両水平片４１，４１を突き合わせたときの跨ぎ寸法はＥｂとなる。このように、水平片４１の縁部を凹凸形状にして合致係合させると、同じ最大値を確保しながらも、跨ぎ寸法の最小値を小さくすることができる。なお、凹凸形状は、例示の形態に限定されるものではない。
【００２７】
浴槽の側壁Ｓに対する跨設部材２の固定は、一方（この例では槽内側）の取付部材４ｂに取り付けられたクランプ部材７を介して行われる。クランプ部材７は、図６及び図７に示すように、取付部材４ｂの垂下片４２を貫通する雄ネジ状の軸部７１と、この軸部７１の一端に設けられて両取付部材４ａ，４ｂの間に配置される押圧板７２と、軸部７１の他端に設けられた締付ノブ７３とを備えている。
【００２８】
押圧板７２は、周縁部が平坦な押圧面となされ、その表面にゴムシート７４が貼着されている。このゴムシート７４も、側壁Ｓに対する密着性の向上と滑り止め、及び側壁Ｓの表面保護を目的とするものである。押圧板７２は、軸部７１の先端に止め環７５またはナット状の部材を介して脱落しないように取り付けられているが、押圧板７２に形成された軸部挿通孔７６は軸部７１の径よりも若干大きく形成されており、この遊びによって押圧板７２は、軸部７１の廻りに回転自在に、かつ、軸部７１に直交する状態から１５度程度の範囲で各方向に揺動しうる保持されている。
【００２９】
軸部７１にはノブ取付ナット７７が螺合され、このノブ取付ナット７７に締付ノブ７３が固着されている。ノブ取付ナット７７と締付ノブ７３は、垂下片４２に対して回転自在に取り付けられており、締付ノブ７３の回転によって軸部７１及び押圧板７２が、相手側（この例では洗い場側）の取付部材４ａに向かって進退する。
【００３０】
例示の形態では、このクランプ部材７が、一方の取付部材４ｂに二個、水平に並設されている。そして、各クランプ部材７の押圧板７２が、各締付ノブ７３の操作により、互いに独立して進退し、かつ揺動する。したがって、この構成によれば、図９に示すように、側壁Ｓの槽内側が大きく湾曲している場合でも、その曲面に沿って各押圧板７２を密着させ、跨設部材２を強固に固定することができる。
【００３１】
さらに、この浴槽用安全手摺り１では、クランプ部材７の押圧板７２に相対する相手側（洗い場側）の取付部材４ａの垂下片４２に、押圧板７２と同様の断面形状を有する受板８が取り付けられている。この受板８は、取付部材４ａの垂下片４２に取り付けられた受板取付軸８１に、止め環８２を介して脱落しないように取り付けられ、各方向に若干、揺動するように保持されている。受板８の表面にはゴムシート８３が貼着されている。この構成によれば、側壁Ｓの洗い場側が湾曲している場合でも、その曲面に沿って受板８を密着させ、跨設部材２を強固に固定することができる。なお、例示の形態では、この受板８は一個であるが、これを複数個に分割して並設することも可能である。
【００３２】
図１０〜図１２は、本発明の第二実施形態を示す。この浴槽用安全手摺り１０は、上記第一実施形態にかかる浴槽用安全手摺り１の仕様を簡素化し、浴槽の側壁Ｓを跨ぐときに使用する大グリップを省いて、槽内での立ち座りを補助する小グリップ３ｂだけを設けたものである。跨設部材２を構成する二個の取付部材４ａ，４ｂのうち、一方の取付部材４ｂに固定式の小グリップ３ｂが取り付けられ、他方の取付部材４ａに一個のクランプ部材７が取り付けられている。跨設部材２やクランプ部材７の構造は、上記第一実施形態と同じである。
【００３３】
この浴槽用安全手摺り１０は、浴槽の側壁Ｓに対する取付強度が第一実施形態ほどは必要ないので、側壁Ｓの洗い場側からクランプ部材７を操作する仕様になっている。これによると、浴槽内で小グリップ３ｂを握るときに、締付ノブ７３が邪魔にならないので、比較的狭小な浴槽内でも好適に利用することができる。
【００３４】
【発明の効果】
本発明の浴槽用安全手摺りは、浴槽の側壁を挟持する跨設部材が、対をなす二個の取付部材と、これらを連結する連結板とによって拡縮自在に構成されるので、両取付部材を、いずれも浴槽の側壁の上面から浮き上がらないようにして、安定的に固定することができる。連結板の上面を平坦にして、グリップを跨設部材の正面又は背面から立ち上げれば、浴槽に蓋を被せる場合でも邪魔にならない。
【００３５】
そして、連結板に形成した通孔と、両取付部材の各水平片に形成した複数個の雌ネジ孔を利用して、両者を固定用ネジで連結することにより、跨設部材自体の跨ぎ寸法を段階的に調節することが可能になり、跨設部材や締付ノブの側方への突出寸法を小さくすることができる。
【００３６】
さらに、両取付部材の各水平板を、相対する縁部の平面形状が凹凸状に合致係合するように形成した場合には、跨設部材の跨ぎ寸法の最小値をさらに小さくすることができる。
【００３７】
また、締付ノブの操作によって押圧板が進退するクランプ部材を採用することにより、浴槽の側壁を強固に挟持することができる。クランプ部材の軸部に対して押圧板を揺動しうるように取り付けると、浴槽の側壁が縦横方向に湾曲している場合であっても、押圧板と側壁との密着性がさらに向上して、跨設部材の安定性が増す。
【００３８】
また、クランプ部材を複数個並設することにより、湾曲した側壁に対する密着性をさらに高めることができる。
【００３９】
また、押圧板に相対する相手側取付部材の垂下片に揺動可能な受板を取り付けた場合には、外側が湾曲した側壁に対しても跨設部材の安定性を高めることができる。
【図面の簡単な説明】
【図１】本発明の第一実施形態にかかる浴槽用安全手摺りの正面図である。
【図２】同、跨ぎ寸法を最小にした状態での左側面図である。
【図３】同、一部透視上面図である。
【図４】同、底面図である。
【図５】同、背面図である。
【図６】同、図３におけるＡ−Ａ’断面図である。
【図７】同、跨ぎ寸法を最大にした状態でのＡ−Ａ’断面図である。
【図８】上記浴槽用安全手摺りの水平片の形状と作用を説明する概念図である。
【図９】上記浴槽用安全手摺りの複数個のグリップ部の作用を説明する概念図である。
【図１０】本発明の第二実施形態にかかる浴槽用安全手摺りの正面図である。
【図１１】同、跨ぎ寸法を最小にした状態での左側面図である。
【図１２】同、上面図である。
【図１３】従来の浴槽用安全手摺りの構造を簡略的に示す側面図である。
【図１４】従来の他の浴槽用安全手摺りの構造を簡略的に示す側面図である。
【符号の説明】
１    浴槽用安全手摺り
１０  浴槽用安全手摺り
２    跨設部材
３ａ  大グリップ
３ｂ  小グリップ
４ａ  取付部材
４ｂ  取付部材
４１  水平片
４２  垂下片
４５  雌ネジ孔
５    連結板
６    固定用ネジ
７    クランプ部材
７１  軸部
７２  押圧板
７３  締付ノブ
８    受板
Ｓ    側壁
【図１】
2004261327.tif 000003
【図２】
2004261327.tif 000004
【図３】
2004261327.tif 000005
【図４】
2004261327.tif 000006
【図５】
2004261327.tif 000007
【図６】
2004261327.tif 000008
【図７】
2004261327.tif 000009
【図８】
2004261327.tif 000010
【図９】
2004261327.tif 000011
【図１０】
2004261327.tif 000012
【図１１】
2004261327.tif 000013
【図１２】
2004261327.tif 000014
【図１３】
2004261327.tif 000015
【図１４】
2004261327.tif 000016